(57)【要約】【課題】被検体画像と共に被検体情報の位置情報を参照でき、閲覧権限の有する者のみが位置情報に基づき被検体情報を閲覧することができる技術を提供する。【解決手段】画像診断装置と被検体情報を管理する情報管理装置と表示デバイスとを互いに情報取得ができる環境下に配する。画像診断装置は、被検体情報の記憶領域を示す位置情報を取得して被検体画像上に合成する。表示デバイスは、予め識別情報を記憶しておき、位置情報が示す記憶領域へアクセスすると共に、識別情報を送信する。情報管理装置は、識別情報に基づきログイン許可を判断すると共に、アクセスしようとする記憶領域へのアクセス権限を判断する。ログイン許可及びアクセス権限有りの場合には、記憶領域に記憶されている被検体情報を表示デバイスに送信する。表示デバイスは、情報管理装置から送信される情報を受信して表示する。【選択図】図１
2007207163.tif 000002
【特許請求の範囲】
【請求項１】
被検体を撮影して被検体画像を作成する画像診断装置と、被検体情報を所定の記憶領域に記憶して管理する情報管理装置と、当該情報管理装置と通信が可能な表示デバイスと、を備える個人情報表示システムであって、
画像診断装置は、
被検体情報が記憶されている記憶領域を示す位置情報を取得する第１の取得手段と、
前記被検体画像上に前記位置情報を合成する合成手段と、
を備え、
前記表示デバイスは、
予め自己の識別情報を記憶する記憶手段と、
前記被検体画像上に合成された位置情報を取得する第２の取得手段と、
取得した位置情報が示す記憶領域へアクセスすると共に、前記識別情報を送信する第１の送信手段と、
前記情報管理装置から送信される情報を受信する受信手段と、
前記受信した情報を表示する表示手段と、
を備え、
前記情報管理装置は、
前記表示デバイスから送信された前記識別情報に基づきログイン許可を判断すると共に、前記表示デバイスがアクセスしようとする記憶領域へのアクセス権限を判断する判断部と、
ログインが許可され、かつアクセス権限有りと判断された場合には、前記記憶領域に記憶されている被検体情報を、前記表示デバイスに送信する第２の送信手段と、
を備えること、
を特徴とする個人情報表示システム。
【請求項２】
前記情報管理装置は、
ログインを許可する表示デバイスの識別情報と当該表示デバイスがアクセス権限を有する記憶領域を示す位置情報とを関連づけて記憶する参照テーブルをさらに備え、
前記判断部は、表示デバイスから送信された識別情報と前記参照テーブルに基づき、当該表示デバイスのログイン許可を判断すると共に、ログイン許可の場合には、当該表示デバイスがアクセスしようとする記憶領域を示す位置情報と前記参照テーブルに基づき、当該表示デバイスのアクセス権限を判断すること、
を特徴とする請求項１記載の個人情報表示システム。
【請求項３】
前記第１の取得手段は、
位置情報として、被検体情報が記憶されている記憶領域を示すＵＲＬを取得すること、
を特徴とする請求項１又は２記載の個人情報表示システム。
【請求項４】
前記画像診断装置は、
前記第１の取得手段が取得した位置情報を２次元コード形式に変換する符号化手段をさらに備え、
前記合成手段は、２次元コード形式の位置情報を前記被検体画像上に合成すること、
を特徴とする請求項１又は２記載の個人情報表示システム。
【請求項５】
前記第２の取得手段は、２次元コード形式の位置情報を撮影する撮影手段であり、
前記表示デバイスは、
前記第２の取得手段が撮影した２次元コードの位置情報を復号する復号化手段と、
をさらに備えること、
を特徴とする請求項４記載の個人情報表示システム。
【請求項６】
前記第１の取得手段は、前記情報管理装置から前記位置情報を受信する通信手段であること、
を特徴とする請求項１又は２記載の個人情報表示システム。
【請求項７】
前記第１の取得手段は、前記被検体情報を取得して、当該被検体情報に基づき前記位置情報を作成する位置情報作成手段であること、
を特徴とする請求項１又は２記載の個人情報表示システム。
【請求項８】
前記位置情報が合成された前記被検体画像は、フィルムに出力され、
前記第２の取得手段は、フィルムから位置情報を取得すること、
を特徴とする請求項１乃至５の何れかに記載の個人情報表示システム。
【請求項９】
前記位置情報が合成された前記被検体画像は、モニタに出力され、
前記第２の取得手段は、モニタから位置情報を取得すること、
前記請求項１又は２記載の個人情報表示システム。
【請求項１０】
前記第２の送信手段は、
患者氏名、患者ＩＤ、年齢、性別、又はカルテＩＤの何れかを少なくとも含む被検体情報を前記表示デバイスに送信すること、
を特徴とする請求項１又は２記載の個人情報表示システム。
【請求項１１】
前記第２の送信手段は、
前記判断部によりログイン不許可若しくはアクセス権限無しと判断された場合には、エラー情報を前記表示デバイスに送信すること、
を特徴とする請求項１又は２記載の個人情報表示システム。
【発明の詳細な説明】
【技術分野】
【０００１】
本発明は、被検体画像に対応する被検体情報を閲覧する技術に関する。
【背景技術】
【０００２】
一般的に、Ｘ線ＣＴ装置やＭＲＩ装置等の画像診断装置によって、患者等の被検体を撮影した場合、撮影によって得られた被検体内の断層像である被検体画像には、その被検体に関する被検体情報が合成されて表示画面やフィルムに出力される。被検体情報としては、患者氏名、患者ＩＤ、年齢、性別、カルテＩＤ等が合成される。
【０００３】
この被検体画像と被検体情報との合成では、予め画像診断装置が、被検体情報を管理・蓄積する病院情報管理システム（ＨＩＳ）、放射線部門情報管理システム（ＲＩＳ）、又は画像情報管理システム（ＰＡＣＳ）等の情報管理装置から、撮影しようとする被検体情報を検索して取得する。画像診断装置は、被検体を撮影して被検体画像を作成すると、この被検体情報と関連づけて記憶する。モニタ等の表示画面に出力する場合には、被検体画像と被検体情報とをオーバレイ表示することにより、合成されて出力される。また、フィルムに出力する場合には、画像診断装置は、作成した被検体画像と被検体情報とを合成して合成画像を作成し、イメージャに送信し、イメージャによってこの合成画像をフィルムに出力させる。
【０００４】
個人情報の保護が重視されるなか、病院内で取り扱う被検体情報は、特にプライバシーに関する情報が多いため、病院内でもその取り扱いについても細心の注意が必要となる。従って、被検体画像に被検体情報を合成して出力する上述のような手法は、個人情報保護という観点で全くの無防備であった。
【０００５】
そのため、昨今、個人情報の保護のため、被検体情報を墨塗りしたり、被検体情報を被検体画像に合成せずに表示画面やフィルムに出力するといった手法が採られる場合もある。しかし、このような処置を施すと、後に被検体画像を表示画面や、特にフィルム等で参照しようとする場合、さまざまな不都合が生じる。
【０００６】
例えば、その場では個人情報の保護としての効果を生ずるが、反面、後日に被検体画像を参照して診断又は読影等する場合には、診断や読影に必要な被検体に関する情報が読みとれなくなり、診断や読影に支障をきたす。
【０００７】
そこで、被検体情報を人間が読み取り不能な他の表現形式、例えばバーコード形式に変換して、そのバーコード形式の被検体情報を被検体画像に合成する技術が提示されている（例えば、「特許文献１」参照。）。バーコードを復号することで、被検体情報を、人間がその内容を理解可能な表現形式に変換するものである。この技術によると、表示画面やフィルムからは、直接被検体情報を閲覧することができなくなるため、被検体情報の閲覧権限のない者が、表示画面やフィルムをのぞき込んでも個人情報の保護を図ることができる。
【０００８】
【特許文献１】特開２００２−７３６５２号公報
【発明の開示】
【発明が解決しようとする課題】
【０００９】
しかし、被検体情報をバーコード形式等の人間が理解不能な表現形式に変換して表示画面やフィルムに出力しても、バーコードリーダで閲覧権限のない者に復号化されてしまえば、被検体情報の閲覧が可能となってしまい、個人情報保護の観点からは不十分である。従って、個人情報保護を貫徹するには、閲覧権限のない者には、被検体情報を閲覧することが不可能な技術を提供する必要がある。
【００１０】
本発明は、以上の問題点に鑑みてなされたものであって、その目的は、被検体画像と共に被検体情報に関わる何らかの情報を参照でき、かつ閲覧権限の有する者のみがその情報に基づき被検体画像に係る被検体情報を閲覧することができる技術を提供することにある。
【課題を解決するための手段】
【００１１】
上記課題を解決するために、請求項１記載の発明は、被検体を撮影して被検体画像を作成する画像診断装置と、被検体情報を所定の記憶領域に記憶して管理する情報管理装置と、当該情報管理装置と通信が可能な表示デバイスと、を備える個人情報表示システムであって、画像診断装置は、被検体情報が記憶されている記憶領域を示す位置情報を取得する第１の取得手段と、前記被検体画像上に前記位置情報を合成する合成手段と、を備え、前記表示デバイスは、予め自己の識別情報を記憶する記憶手段と、前記被検体画像上に合成された位置情報を取得する第２の取得手段と、取得した位置情報が示す記憶領域へアクセスすると共に、前記識別情報を送信する第１の送信手段と、前記情報管理装置から送信される情報を受信する受信手段と、前記受信した情報を表示する表示手段と、を備え、前記情報管理装置は、前記表示デバイスから送信された前記識別情報に基づきログイン許可を判断すると共に、前記表示デバイスがアクセスしようとする記憶領域へのアクセス権限を判断する判断部と、ログインが許可され、かつアクセス権限有りと判断された場合には、前記記憶領域に記憶されている被検体情報を、前記表示デバイスに送信する第２の送信手段と、を備えること、を特徴とする。
【発明の効果】
【００１２】
本発明では、被検体情報が出力されず、個人情報の漏洩防止となる。被検体画像上には、被検体情報の位置情報が出力される。この位置情報に示される記憶領域に存在する被検体情報へのアクセスは、ログインが許可されている表示デバイスであって、かつその被検体情報へのアクセス権限を有する場合のみ可能となる。
【００１３】
従って、閲覧権限のない者が位置情報を閲覧してもそこからは被検体情報を把握できず、強固な個人情報保護が図られる。
【発明を実施するための最良の形態】
【００１４】
以下、本発明に係る各実施形態を図１乃至図１９に基づき詳細に説明する。
【００１５】
（第１の実施形態）
図１は、第１の実施形態に係る個人情報表示システム１の構成を示す図である。図１に示すように、個人情報表示システム１は、画像診断装置２とイメージャ３と表示デバイス４と情報管理装置５とで構成される。画像診断装置２は、被検体内を撮影して被検体画像Ｈを作成する装置である。イメージャ３は、被検体画像ＨをフィルムＦに出力する装置である。表示デバイス４は、文字情報を表示する装置である。情報管理装置５は、被検体情報Ｐを管理する装置である。
【００１６】
画像診断装置２、イメージャ３、表示デバイス４、及び情報管理装置５は、それぞれ通信手段を備え、ネットワーク接続又は無線通信によりデータ通信が可能となっている。
【００１７】
画像診断装置２は、被検体内を撮影して被検体画像Ｈを作成し、被検体画像Ｈ上に、撮影した被検体に係る被検体情報Ｐの記憶領域を示す位置情報Ｒを合成する。イメージャ３は、被検体画像Ｈと位置情報Ｒを含む合成画像ＧをフィルムＦに出力する。
【００１８】
被検体情報Ｐは、被検体に関する情報であり、特にプライバシーの観点から保護されるべき情報を含む。位置情報Ｒは、被検体情報Ｐが記憶されている記憶領域を示す情報である。被検体情報Ｐは、予め定められた記憶位置決定アルゴリズムに従って情報管理装置５の所定の記憶領域に記憶されている。
【００１９】
表示デバイス４は、フィルムＦに出力されている位置情報Ｒに示されるアクセス先にアクセスする。アクセスの際には、自己を識別するための筐体識別情報ＬＸを同時に送信する。アクセス先は、情報管理装置５の被検体情報Ｐが記憶されている記憶領域である。情報管理装置５では、筐体識別情報Ｌにより表示デバイス４を識別し、アクセス先のアクセス権限を判断した上で応答する。アクセスを許可する場合、応答に際し、位置情報Ｒに対応する記憶領域の被検体情報Ｐを送信する。
【００２０】
情報管理装置５へのログインが認められている正規の表示デバイス４であって、位置情報Ｒに対応する被検体情報Ｐへのアクセス権限を有する表示デバイス４は、被検体情報Ｐを受信して表示できる。これにより、この表示デバイス４の所有者のみが被検体画像Ｈに係る被検体情報Ｐを知り得る。尚、表示デバイス４のログインが認められず、又はアクセス権限を有しない場合は、表示デバイス４にエラー情報Ｅが表示される。
【００２１】
この個人情報表示システム１を詳細に説明する。図２は、個人情報表示システム１の機能を示すブロック図である。図２に示すように、画像診断装置２は、撮影部２１と通信部２２と合成部２３で構成される。イメージャ３は、通信部３１と出力部３２で構成される。表示デバイス４は、入力部４１と筐体識別情報記憶部４２と通信部４３と表示部４４で構成される。情報管理装置５は、通信部５１と被検体情報ＤＢ（データベース）５２と位置情報作成部５３と判断部５４と参照テーブル５５で構成される。
【００２２】
画像診断装置２の撮影部２１は、被検体を撮影して被検体画像Ｈを生成する。画像診断装置２がＸ線ＣＴ装置の場合、撮影部２１は、Ｘ線ビームを曝射し、被検体を透過したＸ線ビームを透過強度を含めて検出し、検出信号より被検体内を再構成して被検体画像Ｈを作成する。
【００２３】
合成部２３は、演算制御部（ＣＰＵ）、主記憶部（ＲＡＭ）、外部記憶部（ＨＤＤ）で構成される。外部記憶部にはＯＳ（オペレーティングシステム）と処理プログラムが記憶され、ＯＳ上で処理プログラムを実行することで処理プログラムに従った処理を行う。この合成部２３は、被検体画像Ｈ上に位置情報Ｒを合成した合成画像Ｇを作成する。
【００２４】
画像診断装置２の通信部２２は、ネットワークインターフェースカード（ＮＩＣ）で構成される。この通信部２２は、イメージャ３に対して合成画像Ｇを送信する。また、通信部２２は、データ通信により情報管理装置５から被検体情報Ｐとこの被検体情報Ｐの位置情報Ｒを取得する。
【００２５】
イメージャ３の通信部３１は、ネットワークインターフェースカード（ＮＩＣ）で構成される。この通信部３１は、画像診断装置２から合成画像Ｇを受信する。
【００２６】
出力部３２は、画像を表示するＣＲＴとレンズで構成される。この出力部３２は、ＣＲＴに合成画像Ｇを表示し、表示された合成画像Ｇをレンズを介してフィルムＦにフォーカシングさせ、フィルムＦを露光する。
【００２７】
表示デバイス４の入力部４１は、英数字が対応付けられたボタン群で構成される。表示デバイス４の操作者に入力操作され、フィルムＦに出力されている位置情報Ｒが入力され、位置情報Ｒを取得する。
【００２８】
筐体識別情報記憶部４２には、筐体識別情報Ｌが記憶されている。筐体識別情報Ｌは、表示デバイス４を一意に識別する識別情報である。筐体識別情報Ｌは、例えば電話番号、子機端末である場合の表示デバイス４を識別するＩＤ（ＰＳ−ＩＤ）、表示デバイス４自体又は表示デバイス４を構成する部品の製造ＩＤ等である。
【００２９】
表示デバイス４の通信部４３は、ネットワークインターフェースカード（ＮＩＣ）で構成される。情報管理装置５に対して位置情報Ｒで示される記憶領域に存在する被検体情報Ｐへのアクセスを要求し、同時に筐体識別情報Ｌを送信する。また、情報管理装置５からアクセス要求に対する応答を受ける。
【００３０】
通信部４３は、応答の受信に際し、エラー情報Ｅ、又は、位置情報Ｒで示される記憶領域に記憶されている被検体情報Ｐを受信する。表示部４４は、受信したエラー情報Ｅ又は被検体情報Ｐを表示する。
【００３１】
情報管理装置５の通信部５１は、ネットワークインターフェースカード（ＮＩＣ）で構成される。この通信部５１は、画像診断装置２に対して、被検体情報Ｐとその被検体情報Ｐの記憶領域を示す位置情報Ｒを送信する。また、表示デバイス４からのアクセス要求を受信し、アクセス要求に対する応答をする。
【００３２】
被検体情報ＤＢ５２は、外部記憶部（ＨＤＤ）で構成され、被検体情報Ｐを記憶する。被検体情報Ｐには、被検体の患者氏名、患者ＩＤ、性別、年齢、住所、カルテＩＤ、病名等の被検体に関する情報が含まれる。
【００３３】
位置情報作成部５３は、被検体情報Ｐの記憶領域を示す位置情報Ｒを作成し、被検体情報Ｐの記憶領域と位置情報Ｒとの関連づけをする。位置情報Ｒは、例えば被検体情報Ｐの記憶領域を示すＵＲＬ（Ｕｎｉｆｏｒｍ  Ｒｅｓｏｒｃｅ  Ｌｏｃａｔｏｒ）である。例えば、「ｈｔｔｐ：／／ｗｗｗ．○×△．ｃｏｍ／〜ｔｏｓｈｉｂａ＿ｈａｎａｋｏ」のように記述される。
【００３４】
「ｗｗｗ．○×△．ｃｏｍ」は、情報管理装置５を示すドメイン名であり、「〜ｔｏｓｈｉｂａ＿ｈａｎａｋｏ」は、位置情報Ｒと記憶領域との関連づけにより、被検体情報Ｐの相対的な記憶領域を示す。この位置情報Ｒは、表示デバイス４が情報管理装置５にアクセスでき、かつ表示デバイス４がどの被検体情報Ｐを要求しているかを特定できればよく、関連づけがされればどのような内容であってもよい。例えば、「〜ｔｏｓｈｉｂａ＿ｈａｎａｋｏ」は、被検体情報Ｐのファイル名である。
【００３５】
判断部５４は、演算制御部（ＣＰＵ）、主記憶部（ＲＡＭ）、外部記憶部（ＨＤＤ）で構成される。外部記憶部にはＯＳ（オペレーティングシステム）と処理プログラムが記憶され、ＯＳ上で処理プログラムを実行することで処理プログラムに従った処理を行う。
【００３６】
この判断部５４は、表示デバイス４から受信したアクセス要求に対してアクセス許可又は不許可を判断する。アクセス許可の場合には、受信した位置情報Ｒが示す記憶領域に記憶されている被検体情報Ｐを取得し、通信部５１に当該被検体情報Ｐを送信させる。アクセス不許可の場合には、通信部５１にエラー情報Ｅを送信させる。
【００３７】
アクセス許可又は不許可の判断では、アクセスしようとする表示デバイス４の識別及び被検体情報Ｐへのアクセス権限を判断する。この判断では、判断部５４が予め記憶している参照テーブル５５を参照する。
【００３８】
参照テーブル５５は、外部記憶部（ＨＤＤ）に予め記憶されている。図３は、この参照テーブル５５を示す模式図である。図３に示すように、参照テーブル５５は、筐体識別情報Ｌと、位置情報作成部５３が作成した位置情報Ｒとを関連づけて記憶している。筐体識別情報Ｌにより、情報管理装置５へのログイン可能な表示デバイス４が指定される。また、筐体識別情報Ｌに関連づけられている位置情報Ｒにより、筐体識別情報Ｌで特定される表示デバイス４がアクセス可能な被検体情報Ｐが指定される。
【００３９】
また、参照テーブル５５には、位置情報Ｒと対になって被検体情報Ｐの絶対位置を示す絶対位置情報Ｒａが記憶されている。位置情報Ｒは、ＵＲＬという相対的な情報であるのに対し、絶対位置情報Ｒａは、メモリの格納アドレス又は被検体情報ＰのデータベースＩＤという絶対的な情報である。
【００４０】
判断部５４は、受信した筐体識別情報Ｌが参照テーブル５５に記憶されているかを検索する。受信した筐体ＩＤが参照テーブル５５に記憶されていれば、ログインを許可する。さらに、判断部５４は、表示デバイス４がアクセスしようとする記憶領域が、表示デバイス４の筐体識別情報Ｌに関連づけられているか検索する。アクセスしようとする記憶領域に対応する位置情報Ｒが、筐体識別情報Ｌに関連づけられていれば、対になっている絶対位置情報Ｒａが示す記憶領域から被検体情報Ｐを取得し、通信部５１に送信させる。
【００４１】
このような構成を有する画像診断装置２の合成画像Ｇ作成プロセスについて説明する。図４は、画像診断装置２の合成画像Ｇ作成動作を示すフローチャートである。
【００４２】
まず、操作者が撮影する被検体を特定する情報を入力すると、通信部２２は、当該情報と共に、その情報に関係する被検体情報Ｐの検索を要求する命令を情報管理装置５へ送信し（Ｓ１１）、情報管理装置５から要求命令に応じて送信された被検体情報Ｐと位置情報Ｒを受信する（Ｓ１２）。
【００４３】
操作者は、受信した被検体情報Ｐを確認した上で、被検体の撮影を開始させる操作を行う。この操作に応じて、撮影部２１は、被検体を撮影し（Ｓ１３）、被検体画像Ｈを作成する（Ｓ１４）。作成した被検体画像Ｈは、被検体情報Ｐに関連づけて記憶される（Ｓ１５）。
【００４４】
操作者が、被検体画像ＨのフィルムＦへ出力する操作を入力すると（Ｓ１６，Ｙｅｓ）、合成部２３は、記憶されている被検体画像Ｈと、受信した位置情報Ｒを読み出し、両者を合成して合成画像Ｇを作成する（Ｓ１７）。合成画像Ｇが作成されると、通信部２２は、この合成画像Ｇをイメージャ３へ送信する（Ｓ１８）。
【００４５】
この後、イメージャ３で、受信した合成画像ＧがフィルムＦに出力することで、被検体画像Ｈ上に位置情報Ｒが合成された合成画像ＧのフィルムＦが作成される。
【００４６】
図５は、合成画像Ｇを出力したフィルムＦを示す図である。図５に示すように、フィルムＦには、被検体内を撮影して得た被検体画像Ｈ上に位置情報Ｒが合成されて出力されている。出力されている位置情報Ｒは、情報管理装置５が作成して画像診断装置２に送信した位置情報Ｒであり、例えばＵＲＬ「ｈｔｔｐ：／／ｗｗｗ．○×△．ｃｏｍ／〜ｔｏｓｈｉｂａ＿ｈａｎａｋｏ」のようにフィルムＦ上に出力される。
【００４７】
図６は、表示デバイス４の位置情報Ｒに従った情報管理装置５へのアクセスプロセスを示すフローチャートである。図６に示すように、まず、表示デバイス４の操作者は、入力部４１を操作して、フィルムＦに出力されている位置情報Ｒを表示デバイス４に入力する（Ｓ２１）。
【００４８】
位置情報Ｒが入力されると、筐体識別情報記憶部４２から筐体識別情報Ｌを読み出し（Ｓ２２）、通信部４３を介して、入力された位置情報Ｒに示されるアクセス先へアクセスし（Ｓ２３）、同時に筐体識別情報Ｌを送信する（Ｓ２４）。アクセス先は、情報管理装置５であり、情報管理装置５は、参照テーブル５５を参照してアクセス許可又はアクセス不許可を判断して、判断に応じた応答をする。
【００４９】
情報管理装置５からの応答を受信すると（Ｓ２５）、表示部４４は、情報管理装置５からの応答に含まれている被検体情報Ｐ若しくはエラー情報Ｅを表示する（Ｓ２６）。
【００５０】
図７は、表示デバイス４において、情報管理装置５からの応答があった後に表示される画面であり、アクセスが許可されて被検体情報Ｐが送信された場合の表示画面である。図８は、表示デバイス４において、情報管理装置５からの応答があった後に表示される画面であり、アクセスが不許可となりエラー情報Ｅが送信された場合の表示画面である。
【００５１】
図７に示すように、表示デバイス４には、アクセスが許可されると、被検体情報Ｐが表示される。表示される被検体情報Ｐとしては、例えば、患者氏名、患者ＩＤ、性別、年齢、カルテＩＤ、その他病名等が表示される。
【００５２】
図８に示すように、表示デバイス４には、アクセスが不許可となると、エラー情報Ｅが表示される。表示されるエラー情報Ｅとしては、例えば「権限違反により、この被検体情報Ｐへのアクセスは拒否されました。」等のアクセスが拒否された旨のメッセージが文字として表示される。
【００５３】
図９は、情報管理装置５のアクセス判断動作を示すフローチャートである。図１０に示すように、表示デバイス４からアクセスがあると（Ｓ３１，Ｙｅｓ）、判断部５４は、参照テーブル５５を読み出す（Ｓ３２）。次に、送信されてきた筐体識別情報Ｌを検索キーとして、参照テーブル５５を検索する（Ｓ３３）。
【００５４】
判断部５４は、該当する筐体識別情報Ｌが参照テーブル５５にあれば（Ｓ３３，Ｙｅｓ）、該当の筐体識別情報Ｌに関連づけられている位置情報Ｒに、アクセス先のファイル名が含まれているか検索する（Ｓ３４）。
【００５５】
アクセス先に該当する位置情報Ｒが関連づけられていれば（Ｓ３４，Ｙｅｓ）、判断部５４は、その位置情報Ｒと対になっている絶対位置情報Ｒａが示す記憶領域の被検体情報Ｐを取得し（Ｓ３５）、通信部５１にその被検体情報Ｐを表示デバイス４へ送信させる（Ｓ３６）。
【００５６】
該当する筐体情報が参照テーブル５５になければ（Ｓ３３，Ｎｏ）、若しくはアクセス先に該当する位置情報Ｒが関連づけられていなければ（Ｓ３４，Ｎｏ）、判断部５４は、通信部５１に表示デバイス４へエラー情報Ｅを送信させる（Ｓ３７）。
【００５７】
図１０は、この個人情報表示システム１の被検体情報表示プロセスを示すシーケンス図である。
【００５８】
まず、画像診断装置２は、被検体の撮影の前に、撮影する被検体の被検体情報Ｐ及びこの被検体情報Ｐの記憶領域を示す位置情報Ｒを、情報管理装置５に要求する（Ｓ４１）。情報管理装置５は、要求された被検体情報Ｐを被検体情報ＤＢ５２から検索し、検索された被検体情報Ｐの位置情報Ｒを作成する（Ｓ４２）。情報管理装置５は、検索した被検体情報Ｐ及び作成した位置情報Ｒを、画像診断装置２に送信する（Ｓ４３）。
【００５９】
画像診断装置２は、被検体情報Ｐ及び位置情報Ｒを受信し、画像診断装置２の操作者が被検体情報Ｐを確認した後、被検体を撮影して被検体画像Ｈを作成する（Ｓ４４）。
【００６０】
被検体画像Ｈが作成されると、画像診断装置２は、情報管理装置５から取得した位置情報Ｒと被検体画像Ｈを合成して合成画像Ｇを作成する（Ｓ４５）。画像診断装置２は、合成画像Ｇをイメージャ３に送信する（Ｓ４６）。
【００６１】
イメージャ３は、画像診断装置２が送信した合成画像Ｇを受信し、合成画像ＧをフィルムＦに出力する（Ｓ４７）。
【００６２】
フィルムＦを閲覧する読影医や診断医等の表示デバイス所有者は、フィルムＦに出力されている位置情報Ｒを表示デバイス４に入力する（Ｓ４８）。表示デバイス４は、位置情報Ｒが入力されると、筐体識別情報Ｌを読み出し、入力された位置情報Ｒに示される記憶領域へのアクセス要求を、読み出した筐体識別情報Ｌと共に、情報管理装置５へ送信する（Ｓ４９）。
【００６３】
情報管理装置５は、参照テーブル５５を読み出して、受信した筐体情報ＩＤの有無、及び参照テーブル５５中の該当の筐体情報ＩＤに関連づけられている位置情報Ｒとアクセスしようとするアクセス先の一致を判断する（Ｓ５０）。
【００６４】
アクセス許可であれば、情報管理装置５は、参照テーブル５５中の一致した位置情報Ｒと対になっている絶対位置情報Ｒａを参照して被検体情報Ｐを取得し（Ｓ５１）、取得した被検体情報Ｐを送信して応答する（Ｓ５２）。一方、アクセス不許可であれば、エラー情報Ｅを送信して応答する（Ｓ５２）。
【００６５】
表示デバイス４は、情報管理装置５から応答があると、応答に含まれる被検体情報Ｐ若しくはエラー情報Ｅを表示する（Ｓ５３）。
【００６６】
このように、本実施形態の個人情報表示システム１では、フィルムＦには被検体情報Ｐが出力されず、個人情報の漏洩防止となる。フィルムＦには、被検体情報Ｐの位置情報Ｒが出力される。この位置情報Ｒに示される記憶領域に存在する被検体情報Ｐへのアクセスは、ログインが許可されている表示デバイス４であって、かつその被検体情報Ｐへのアクセス権限を有する場合のみ可能となるため、さらに強固な個人情報保護が図られる。
【００６７】
この個人情報表示システム１の一例を説明する。画像診断装置２は、Ｘ線ＣＴ装置であり、通信部２２及び合成部２３を搭載する。表示デバイス４は、無線によりデータ通信が可能な携帯端末である。情報管理装置５は、被検体情報Ｐを蓄積する病院情報管理システム（ＨＩＳ）、放射線部門情報管理システム（ＲＩＳ）、又は画像情報管理システム（ＰＡＣＳ）であり、通信部５１と判断部５４と位置情報作成部５３と参照テーブル５５を搭載する。
【００６８】
画像診断装置２とイメージャ３と情報管理装置５は、ネットワークを介して接続されている。また、画像管理サーバと表示デバイス４は、それぞれ無線通信手段を備えている。ネットワークは、電子データの伝送が可能な電子通信回線である。例えば電話回線網、ＩＳＤＮ、ＦＤＤＩ、専用線、移動体通信網、通信衛星回線、ＣＡＴＶ、ＬＡＮ等、又はこれらの複合が採用される。無線によるデータ通信には、例えばスペクトラム拡散方式等を用いた無線ＬＡＮ、ＩｒＤＡ、Ｂｌｕｅｔｏｏｔｈ、無線固定アクセス（ＦＷＡ：Ｆｉｘｄ  Ｗｉｒｌｅｓｓ、Ａｃｃｅｓｓ）が採用される。
【００６９】
各装置のデータ通信では、ネットワーク通信技術を利用して、相互のデータ通信が可能となっている。ネットワーク通信技術には、例えばＷＷＷ（ワールド・ワイド・ウェブ）、ＴＣＰ／ＩＰプロトコル、ＤＩＣＯＭ（Ｄｉｇｉｔａｌ  Ｉｍａｇｉｎｇ  ａｎｄ  ＣＯｍｍｕｎｉｃａｔｉｏｎｓ  ｉｎ  Ｍｅｄｉｃｉｎｅ）プロトコル等が採用される。
【００７０】
表示デバイス４の通信部４３は、無線によりデータを送受信するアンテナと送受信機で構成される。また、情報管理装置５の通信部５１は、ＬＡＮケーブル等の有線データ回線と接続されるネットワークインターフェースカード（ＮＩＣ）と、無線によりデータを送受信するアンテナと送受信機で構成される。
【００７１】
図１１は、本実施形態の画像診断装置２として適用されるＸ線ＣＴ装置の構成を示すブロック図である。このＸ線ＣＴ装置は、架台装置２１０、寝台装置２２０、及びコンソール部２３０を備えて構成されている。撮影部２１は、架台装置２１０、診断装置２２０、コンソール部２３０を含み構成される。
【００７２】
架台装置２１０は、Ｘ線ビームを曝射し、被検体を透過したＸ線ビームを検出する装置であり、開口を有する。この架台装置２１０の内部には、回転架台２１１（ガントリ）が収容されている。回転架台２１１には、Ｘ線源２１２とＸ線検出器２１３が対向して設置される。また、架台装置２１０の内部には、Ｘ線源２１２と対になって高電圧発生部２１４と絞り駆動部２１６が配置され、回転架台２１１と対になって架台駆動部２１６が配置され、Ｘ線検出部２１３と対になってデータ収集部２１７が配置される。
【００７３】
回転架台２１１は、架台駆動部２１６により駆動されて開口を中心に回転する。Ｘ線源２１２は、高電圧発生部２１４から高電圧が供給されてＸ線ビームを曝射する。Ｘ線検出器２１３は、被検体を透過したＸ線ビームを検出し、データ収集部２１７、検出信号を収集する。
【００７４】
寝台装置２２０は、寝台基台２２１の上面に寝台天板２２２を載置する。寝台天板２２２は、開口方向に移動可能となっており、寝台駆動部２２３により駆動されて開口に挿入される。
【００７５】
コンソール部２３０は、スキャン制御部２３１と、前処理部２３２と、再構成処理部２３３と、画像記憶部２３４と、画像処理部２３５と、ＣＰＵユニット２３６と、表示部２３７と、入力部２３８と、通信部２２を備える。
【００７６】
ＣＰＵユニット２３６は、演算制御部、主記憶部、外部記憶部を備えるコンピュータであり、入力部２３８が受け付けた撮影条件から、スキャン制御部２３１と、前処理部２３２、再構成処理部２３３、画像記憶部２３４、画像処理部２３５、表示部２３７が解釈可能な制御情報を作成してそれぞれに送信する。
【００７７】
また、外部記憶部に記憶されたプログラムに従って演算制御部が処理を実行することで、通信部２２を介して被検体情報Ｐ及び位置情報Ｒの取得、並びに合成画像Ｇのイメージャ３への送信を行い、また合成部２３として機能する。
【００７８】
このＸ線ＣＴ装置では、これから撮影しようとする被検体の被検体情報Ｐを通信部２２を介して情報管理装置５から取得する。同時に情報管理装置５から被検体情報Ｐの位置情報Ｒを通信部２２を介して取得する。取得した被検体情報Ｐは、表示部２３７に表示され、装置操作者はその被検体情報Ｐを確認した上で、入力部２３８を操作し、撮影条件を入力する。
【００７９】
ＣＰＵユニット２３６は、入力部２３８に入力された撮影条件を反映した制御情報を作成し、スキャン制御部２３１、前処理部２３２、再構成処理部２３３、画像記憶部２３４、画像処理部２３５、及び表示部２３７に送信する。
【００８０】
スキャン制御部２３１は、制御情報に従い、高電圧発生部２１４、架台駆動部２１６、データ収集部２１７、絞り駆動部２１５、及び寝台駆動部２１６に駆動信号を出力する。駆動信号は、制御情報に含まれる撮影条件を反映して生成される。
【００８１】
架台駆動部２１６は、駆動信号に従い回転架台２１１を回転させる。寝台駆動部２１６は、駆動信号に従い寝台天板２２２を移動させる。駆動信号には、回転架台２１１の１回転当たりの寝台天板２２２の移動量が反映されている。尚、スキャン時には、寝台天板２２２には、架台装置２１０の開口方向に沿って被検体が載置される。
【００８２】
高電圧発生部２１４は、駆動信号に従い高電圧をＸ線源２１２に供給する。Ｘ線源２１２は、高電圧発生部２１４から供給された高電圧によって、ファン状やコーン状などのＸ線ビームを曝射する。絞り駆動部２１５は、駆動信号に従い撮影条件に従ってＸ線遮蔽板を移動させ、Ｘ線ビームのスライス方向の曝射範囲を調整する。
【００８３】
Ｘ線検出器２１３は、寝台天板２２２に載置された被検体を透過したＸ線ビームを検出する。データ収集部２１７（ＤＡＳ）は、駆動信号に従った出力タイミングと同期してＸ線検出器２１３が出力する検出信号を収集し、チャンネル毎に所定のゲインで増幅してからディジタル信号に変換する。このディジタル信号は、被検体の断層像を反映した投影データとなる。
【００８４】
前処理部２３２は、投影データに対してＸ線の強度を補正する感度補正を施す。再構成処理部２３３は、感度補正された投影データから、公知の逆投影処理方法により被検体内を再構成して被検体画像Ｈを作成する。被検体画像Ｈは、画像記憶部２３４に一時的に記憶される。逆投影処理方法は、スライス方向におけるＸ線パスが平行であると仮定したファンビーム再構成、スライス方向におけるＸ線曝射角度（コーン角）を考慮したコーンビーム再構成等の再構成方法である。
【００８５】
画像処理部２３５は、画像記憶部２３４に記憶された被検体画像Ｈに画像処理を施して表示用に加工する。画像処理は、各種撮影条件、関心領域の設定に基づいて行われる。
【００８６】
ＣＰＵユニット２３６は、被検体画像Ｈと同時に予め取得した被検体情報Ｐ又は位置情報Ｒを表示部２３７にオーバレイ表示させる。被検体情報Ｐ又は位置情報Ｒのオーバレイ表示は、入力部２３８を用いて予め操作者によりどちらを表示するか設定されている。
【００８７】
即ち、本実施形態の個人情報表示システム１では、フィルムＦへの出力の他に、表示部２３７へ表示させたり、その他のデバイスの表示画面に出力させたりする場合であっても、被検体画像Ｈと位置情報Ｒとを合成した合成画像Ｇを出力させるようにして、デバイスの表示画面上においても個人情報の保護を図るようにしてもよい。
【００８８】
操作者が入力部２３８を用いてフィルムＦ出力を要求する操作を行うと、ＣＰＵユニット２３６は、予め受信しておいた位置情報Ｒを、画像記憶部２３４に記憶されている被検体画像Ｈ上に合成して、合成画像Ｇを作成する。通信部２２は、作成された合成画像Ｇをイメージャ３に送信する。
【００８９】
これにより、被検体画像Ｈとともに、この被検体画像Ｈに係る被検体情報Ｐの位置情報ＲがフィルムＦに出力される。このフィルムＦ上の位置情報Ｒを表示デバイス４に入力して、筐体識別情報Ｌとともに、当該位置情報Ｒで示されるアクセス先にアクセスし、情報管理装置５が表示デバイス４の識別及びアクセス権限を判断することで、アクセス許可されれば表示デバイス４に被検体情報Ｐが表示される。
【００９０】
尚、画像診断装置２は、Ｘ線ＣＴ装置以外にも、Ｘ線診断装置、ＭＲＩ装置、超音波診断装置、又は核医学診断装置等に適用が可能である。それぞれに通信部２２を搭載して位置情報Ｒを取得し、それぞれが備えるＣＰＵユニット２３６により被検体画像Ｈと位置情報Ｒとを合成すればよい。
【００９１】
また、画像診断装置２では、フィルムＦへの被検体画像Ｈ出力とともに、位置情報Ｒ若しくは被検体情報Ｐの何れかを合成して出力するモードを選択することができる。図１２は、被検体画像Ｈへの合成方法のモード変更の設定画面を示す図である。
【００９２】
図１２に示すように、モード変更画面には、個人情報の被検体画像Ｈへの合成を選択するリストボックスが表示される。リストボックスには、被検体情報表示モードＭ１と被検体情報隠蔽モードＭ２が備えられる。
【００９３】
装置操作者が入力部２３８を用いて被検体情報隠蔽モードＭ２を選択すると、合成部２３は、位置情報Ｒを被検体画像Ｈ上に合成した合成画像Ｇを作成する。被検体情報表示モードＭ１を選択すると、合成部２３は、被検体情報Ｐを被検体画像Ｈ上に合成した合成画像Ｇを作成する。
【００９４】
（第２の実施形態）
画像診断装置２では、符号化した位置情報Ｒを被検体画像Ｈに合成してもよい。以下、本発明の第２の実施形態について説明する。尚、第１の実施形態との同一構成、同一機能には、同一符号を付しその詳細な説明を省略する。
【００９５】
図１３は、本実施形態の画像診断装置２の構成を示すブロック図である。図１３に示すように、画像診断装置２は、撮影部２１と通信部２２と合成部２３と符号化部２４を備える。
【００９６】
符号化部２４は、位置情報Ｒを符号化する。符号化は、位置情報Ｒを内容は維持して他の表現形式に置き換える処理である。符号化部２４は、情報管理装置５から取得した位置情報Ｒを、その内容の表現形式を２次元コードＲｃに変換する。
【００９７】
合成部２３は、符号化部２４が２次元コードＲｃ形式の位置情報Ｒを、撮影部２１が作成した被検体画像Ｈ上に合成して合成画像Ｇを作成する。
【００９８】
図１４は、本実施形態の画像診断装置２の合成画像Ｇ作成プロセスを示すフローチャートである。
【００９９】
まず、通信部２２は、被検体の撮影の前に、撮影する被検体の被検体情報Ｐ及びこの被検体情報Ｐの記憶領域を示す位置情報Ｒを情報管理装置５に要求する（Ｓ６１）。情報管理装置５からは、要求した被検体情報Ｐとその被検体情報Ｐに係る位置情報Ｒが送信され、通信部２２は、この被検体情報Ｐと位置情報Ｒを受信する（Ｓ６２）。
【０１００】
画像診断装置２の装置操作者が被検体情報Ｐを確認した後、撮影部２１は、被検体内を撮影して（Ｓ６３）、被検体画像Ｈを作成する（Ｓ６４）。作成した被検体画像Ｈは、被検体情報Ｐに関連づけて記憶される（Ｓ６５）。
【０１０１】
操作者が、被検体画像ＨのフィルムＦへ出力する操作を入力すると（Ｓ６６，Ｙｅｓ）、符号化部２４は、位置情報Ｒを符号化して２次元コードＲｃに変換する（Ｓ６７）。２次元コードＲｃ形式の位置情報Ｒが生成されると、合成部２３は、この２次元コードＲｃと被検体画像Ｈを合成して合成画像Ｇを作成する（Ｓ６８）。通信部２２は、作成された合成画像Ｇをイメージャ３に送信する（Ｓ６９）。
【０１０２】
図１５は、画像診断装置２で作成された合成画像Ｇを出力したフィルムＦを示す図である。図１５に示すように、フィルムＦには、被検体内を撮影して再構成して得た被検体画像Ｈ上に２次元コードＲｃが合成されて出力されている。２次元コードＲｃは、縦横の２次元空間に方形セルを並べ、周囲の特定箇所に位置決めパターンを配した画像である。方形セルは、黒色又は白色を呈し、色によって「０」又は「１」の情報が対応付けされている。位置決めパターンによって、セルの大きさ及び読みとりの方向を規定している。
【０１０３】
符号化部２４は、位置情報Ｒを構成する「０」及び「１」の並びを、黒色又は白色の並び順に変換し、位置決めパターンを付加して、２次元空間に並べることで、例えば「ｈｔｔｐ：／／ｗｗｗ．○×△．ｃｏｍ／〜ｔｏｓｈｉｂａ＿ｈａｎａｋｏ」のような位置情報Ｒを２次元コードＲｃに変換している。
【０１０４】
図１６は、本実施形態の表示デバイス４の構成を示すブロック図である。図１６に示すように、表示デバイス４は、筐体識別情報Ｌと通信部４３と表示部４４とカメラ４５と復号部４６を備える。
【０１０５】
カメラ４５は、レンズ等の光学系、ＣＣＤイメージセンサ、及び処理回路で構成される撮影手段である。このカメラ４５では、フィルムＦ上の２次元コードＲｃから反射した反射光をレンズを介して受光し、ＣＣＤイメージセンサに結像する。ＣＣＤイメージセンサでは、受光した入射光を２次元コードＲｃを反映したアナログ信号に変換し、処理回路では、アナログ信号をディジタルの画像情報に変換する。このカメラ４５は、２次元コードＲｃを撮影することにより、２次元コード形式の位置情報Ｒを画像情報として取得する。
【０１０６】
復号部４６は、カメラ４５が取得した２次元コードＲｃの画像情報を解析して、２次元コードＲｃを復号する。２次元コードＲｃに含まれている位置決めパターンを検出して、２次元コードＲｃ上のセルの並び順及びセルの大きさを算出し、セルの並び順でセル毎の色判定を行う。復号部４６は、セルの色を黒色又は白色に区別する明度の閾値を有し、閾値以上又は以下である場合に白色又は黒色と判別する。この判別結果に応じて、２次元コードＲｃを「０」と「１」が並ぶデータ列に変換する。「０」と「１」の並び順が位置情報Ｒを示し、「０」と「１」が並ぶデータ列への変換によって、位置情報Ｒを取得する。
【０１０７】
図１７は、本実施形態の表示デバイス４の位置情報Ｒ取得プロセスを示すフローチャートである。まず、カメラ４５を起動させ、フィルムＦに出力されている２次元コード形式の位置情報Ｒを撮影する（Ｓ７１）。撮影により位置情報Ｒを反映した２次元コードＲｃを取得すると、復号部は、この２次元コードＲｃを復号する（Ｓ７２）。
【０１０８】
２次元コードＲｃを復号すると、筐体識別情報記憶部４２から筐体識別情報Ｌを読み出し（Ｓ７３）、通信部４３は、位置情報Ｒに示されるアクセス先へアクセスし（Ｓ７４）、同時に筐体識別情報Ｌを送信する（Ｓ７５）。アクセス先は、情報管理装置５であり、情報管理装置５ではアクセス許可を判断して、被検体情報Ｐ若しくはエラー情報Ｅを返信する。
【０１０９】
情報管理装置５から被検体情報Ｐ若しくはエラー情報Ｅを受信すると（Ｓ７６）、表示部４４は、被検体情報Ｐ若しくはエラー情報Ｅを表示する（Ｓ７７）。
【０１１０】
このように、位置情報Ｒを２次元コードＲｃ化することで、簡便に情報管理装置５へ被検体情報Ｐの要求を行うことが可能となり、個人情報の隠蔽と個人情報の閲覧の便利性とのバランスを図ることができる。
【０１１１】
（第３の実施形態）
画像診断装置２は、位置情報Ｒを情報管理装置５から取得せず、作成するようにしてもよい。以下、本発明の第３の実施形態について詳細に説明する。尚、第１の実施形態との同一構成、同一機能には、同一符号を付しその詳細な説明を省略する。
【０１１２】
図１８は、本実施形態の画像診断装置２の構成を示すブロック図である。図１８に示すように、画像診断装置２は、撮影部２１と通信部２２と合成部２３と位置情報作成部２５を備える。
【０１１３】
位置情報作成部２５は、予め取得した被検体情報Ｐを基にして、当該被検体情報Ｐの情報管理装置５における記憶領域を示す位置情報Ｒを作成する位置情報Ｒの取得手段である。この位置情報作成部２５は、情報管理装置５が備える位置情報作成部５３と同一のアルゴリズムで位置情報Ｒを作成する。本実施形態では、位置情報作成部２５は、被検体情報Ｐが含む患者氏名を抽出し、予め記憶している情報管理装置５のドメイン名以下に、患者氏名を示すファイル名を追加して位置情報Ｒを作成する。
【０１１４】
合成部２３は、位置情報作成部２５が作成した位置情報Ｒを、撮影部２１が作成した被検体画像Ｈ上に合成して合成画像Ｇを作成する。本実施形態の場合、通信部２２は、情報管理装置５から位置情報Ｒを取得しない。
【０１１５】
図１９は、この画像診断装置２を備える個人情報表示システム１の被検体情報Ｐ表示プロセスを示すシーケンス図である。
【０１１６】
まず、画像診断装置２は、被検体の撮影の前に、撮影する被検体の被検体情報Ｐを情報管理装置５に要求する（Ｓ８１）。情報管理装置５は、要求された被検体情報Ｐを被検体情報ＤＢ５２から検索し（Ｓ８２）、被検体情報Ｐを画像診断装置２に送信する（Ｓ８３）。
【０１１７】
画像診断装置２は、被検体情報Ｐを受信し、装置操作者が被検体情報Ｐを確認した後、被検体内を撮影して被検体画像Ｈを作成する（Ｓ８４）。
【０１１８】
被検体画像Ｈが作成されると、画像診断装置２は、被検体情報Ｐから患者氏名を抽出し、情報管理装置５の位置情報作成部５３と同一のアルゴリズムで位置情報Ｒを作成する（Ｓ８５）。次に、画像診断装置２は、作成した位置情報Ｒと被検体画像Ｈを合成して合成画像Ｇを作成し（Ｓ８６）、合成画像Ｇをイメージャ３に送信する（Ｓ８７）。
【０１１９】
イメージャ３は、合成画像Ｇを受信し、合成画像ＧをフィルムＦに出力する（Ｓ８８）。
【０１２０】
フィルムＦを閲覧する読影医や診断医等の表示デバイス所有者は、表示デバイス４の入力部４１を用いて、フィルムＦに出力されている位置情報Ｒを入力する（Ｓ８９）。表示デバイス４は、位置情報Ｒが入力されると、筐体識別情報Ｌを筐体識別情報記憶部４２より読み出し、筐体識別情報Ｌと共に、この位置情報Ｒに示される記憶領域へのアクセス要求を情報管理装置５へ送信する（Ｓ９０）。
【０１２１】
情報管理装置５では、参照テーブル５５を読み出して、受信した筐体情報ＩＤの有無、及び参照テーブル５５中の該当の筐体情報ＩＤに関連づけられている位置情報Ｒとアクセスしようとするアクセス先の一致を判断する（Ｓ９１）。
【０１２２】
アクセス許可であれば、情報管理装置５は、参照テーブル５５中の一致した位置情報Ｒと対になっている絶対位置情報Ｒａを参照して被検体情報Ｐを取得し（Ｓ９２）、取得した被検体情報Ｐを送信して応答する（Ｓ９３）。一方、アクセス不許可であれば、エラー情報Ｅを送信して応答する（Ｓ９３）。
【０１２３】
表示デバイス４は、情報管理装置５から受信した被検体情報Ｐ若しくはエラー情報Ｅを表示する（Ｓ９３）。
【０１２４】
このように、本実施形態の個人情報表示システム１では、画像診断装置２のみで合成画像Ｇの作成までを完結することができる。
【０１２５】
尚、以上の各実施形態では、表示デバイス４を携帯端末を例に取り説明したが、デスクトップコンピュータのような据え置きのコンピュータ端末に表示デバイス４の機能を持たせてもよい。位置情報Ｒを２次元コードＲｃで表現する場合には、コンピュータ端末にカメラ４５等の２次元コードリーダを搭載するようにすればよい。
【図面の簡単な説明】
【０１２６】
【図１】個人情報表示システムの構成を示す図である。
【図２】第１の実施形態に係る個人情報表示システムの機能を示すブロック図である。
【図３】参照テーブルを示す模式図である。
【図４】第１の実施形態に係る画像診断装置の合成画像作成動作を示すフローチャートである。
【図５】第１の実施形態に係る合成画像を出力したフィルムを示す図である。
【図６】第１の実施形態に係る表示デバイスの位置情報に従った情報管理装置へのアクセスプロセスを示すフローチャートである。
【図７】表示デバイスに表示される画面であり、アクセスが許可されて被検体情報が送信された場合の表示画面である。
【図８】表示デバイスに表示される画面であり、アクセスが不許可となりエラー情報が送信された場合の表示画面である。
【図９】情報管理装置のアクセス判断動作を示すフローチャートである。
【図１０】個人情報表示システムの被検体情報表示プロセスを示すシーケンス図である。
【図１１】第１の実施形態に係る画像診断装置として適用されるＸ線ＣＴ装置の構成を示すブロック図である。
【図１２】被検体画像への合成方法のモード変更の設定画面を示す図である。
【図１３】第２の実施形態に係る画像診断装置の構成を示すブロック図である。
【図１４】第２の実施形態に係る画像診断装置の合成画像作成プロセスを示すフローチャートである。
【図１５】第２の実施形態に係る画像診断装置で作成された合成画像を出力したフィルムを示す図である。
【図１６】第２の実施形態に係る表示デバイスの構成を示すブロック図である。
【図１７】第２の実施形態に係る表示デバイスの位置情報取得プロセスを示すフローチャートである。
【図１８】第３の実施形態に係る画像診断装置の構成を示すブロック図である。
【図１９】第３の実施形態に係る個人情報表示システムの被検体情報表示プロセスを示すシーケンス図である。
【符号の説明】
【０１２７】
１    個人情報表示システム
２    画像診断装置
２１  撮影部
２２  通信部
２３  合成部
２４  符号化部
２５  位置情報作成部
３    イメージャ
３１  通信部
３２  出力部
４    表示デバイス
４１  入力部
４２  筐体識別情報記憶部
４３  通信部
４４  表示部
４５  カメラ
４６  復号部
５    情報管理装置
５１  通信部
５２  被検体情報ＤＢ
５３  位置情報作成部
５４  判断部
５５  参照テーブル
Ｐ    被検体情報
Ｅ    エラー情報
Ｆ    フィルム
Ｈ    被検体画像
Ｇ    合成画像
Ｒ    位置情報
Ｒｃ  ２次元コード
Ｍ１  被検体情報表示モード
Ｍ２  被検体情報隠蔽モード
【図１】
2007207163.tif 000003
【図２】
2007207163.tif 000004
【図３】
2007207163.tif 000005
【図４】
2007207163.tif 000006
【図５】
2007207163.tif 000007
【図６】
2007207163.tif 000008
【図７】
2007207163.tif 000009
【図８】
2007207163.tif 000010
【図９】
2007207163.tif 000011
【図１０】
2007207163.tif 000012
【図１１】
2007207163.tif 000013
【図１２】
2007207163.tif 000014
【図１３】
2007207163.tif 000015
【図１４】
2007207163.tif 000016
【図１５】
2007207163.tif 000017
【図１６】
2007207163.tif 000018
【図１７】
2007207163.tif 000019
【図１８】
2007207163.tif 000020
【図１９】
2007207163.tif 000021